(57)【要約】      （修正有）【課題】六角連結シャンクとビットとの連結安定性が高く、使用寿命が長く、且つ製品コストが低い六角レンチビットを提供する。【解決手段】六角レンチビットは、六角連結シャンク１０とビット２０とを含み、六角連結シャンクに取付孔が開設され、取付孔の側壁に突起部（バンプ又は突条）が設置され、ビットは、相互に連結されるビット部と連結部とを含み、連結部に平面状の回り止め部が設置され、連結部が取付孔内に挿入され、回り止め部が突起部に当接して貼り合わされる。【選択図】図１
0003219196.tif 000002
【実用新案登録請求の範囲】
【請求項１】
六角連結シャンク（１０）とビット（２０）とを含む六角レンチビットであって、前記六角連結シャンク（１０）に取付孔（１０１）が開設され、前記取付孔（１０１）の側壁に突起部（１０２）が設置され、前記ビット（２０）は、相互に連結されるビット部（２０１）と連結部（２０２）とを含み、前記連結部（２０２）に回り止め部（２０３）が設置され、前記連結部（２０２）が前記取付孔（１０１）内に挿入され、前記回り止め部（２０３）が前記突起部（１０２）に貼り合わさる、ことを特徴とする六角レンチビット。
【請求項２】
前記回り止め部（２０３）が回り止め平面であり、前記突起部（１０２）が前記回り止め平面に当接されている、ことを特徴とする請求項１に記載の六角レンチビット。
【請求項３】
前記突起部（１０２）が突条である、ことを特徴とする請求項２に記載の六角レンチビット。
【請求項４】
前記突起部（１０２）がバンプである、ことを特徴とする請求項２に記載の六角レンチビット。
【請求項５】
前記回り止め部（２０３）が凹溝であり、前記突起部（１０２）が突条であり、前記突条が前記凹溝に挿着されている、ことを特徴とする請求項１に記載の六角レンチビット。
【請求項６】
前記回り止め部（２０３）と前記突起部（１０２）の数は、１つずつである、ことを特徴とする請求項１〜５のいずれか一項に記載の六角レンチビット。
【請求項７】
前記回り止め部（２０３）と前記突起部（１０２）の数は、２つずつであり、２つの前記回り止め部（２０３）が対称に設置され、２つの前記突起部（１０２）が対称に設置されている、ことを特徴とする請求項１〜５のいずれか一項に記載の六角レンチビット。
【請求項８】
前記連結部（２０２）と前記ビット部（２０１）との連結箇所に抜け止めスロット（２０４）が開設されている、ことを特徴とする請求項１〜５のいずれか一項に記載の六角レンチビット。
【請求項９】
前記連結部（２０２）は、前記六角連結シャンク（１０）に連結される一端の端部に面取り（２０５）が設置されている、ことを特徴とする請求項１に記載の六角レンチビット。
【請求項１０】
接着部材を更に含み、前記接着部材は、前記六角連結シャンク（１０）と前記連結部（２０２）との間に設置されている、ことを特徴とする請求項１に記載の六角レンチビット。
【考案の詳細な説明】
【技術分野】
【０００１】
本考案は、ビット分野に関し、特に六角レンチビットに関する。
【背景技術】
【０００２】
六角レンチビットは、六角連結シャンクとビットとを含み、六角連結シャンクに取付孔が開設され、ビットの一端が取付孔内に挿入して六角連結シャンクに連結されている。従来の技術では、ビットが六角連結シャンクから脱落することを回避するために、ビットが六角連結シャンクに挿入された後、六角連結シャンクとビットとは、更に接着態様、又はリベットカシメとグルー接着とを組み合わせる態様を採用して連結固定される。しかし、上記六角レンチビットは使用中に以下の問題が存在する。
【０００３】
接着態様を採用する六角レンチビットは、使用過程において、グルーの劣化やグルーの塗布ムラ等により、ビットと六角連結シャンクとの連結が緩んでビットが滑ってしまい、ひどい場合ではビットが脱落する恐れがあり、六角連結シャンクとビットとの連結安定性が悪く、使用寿命が短い。リベットカシメとグルー接着とを組合せる態様を採用する六角レンチビットは、六角連結シャンクの取付孔の孔壁に固定孔を開設する必要があり、リベットが固定孔を貫通してビットを締め付けることで、ビットと六角連結シャンクとの連結安定性を向上させ、六角レンチビットの使用寿命を延長することに寄与する。しかし、このような六角レンチビットの製品は、同心度が低く、ラジアルランアウトが大きく、ビット回転過程でトルクの分布が不均一になり、長期使用後にビットが破損しやすく、六角レンチビットの使用寿命にもある程度の影響を与える。また、六角レンチビットのサイズが小さい場合、リベットカシメの組立態様を採用し、加工組立過程において、取付孔の孔壁の薄い六角連結シャンクは、孔壁に孔を開ける過程でクラックが生じやすい。同時に、ビットが細い場合、リベットを用いてビットを締め付ける時に、ビットを圧断しやすいため、六角レンチビットの加工難度が大きくなり、廃棄率が高くなり、六角レンチビットの製品コストに大きな影響を与える。
【０００４】
上述の通り、従来の六角レンチビットは、六角連結シャンクとビットとの連結安定性が悪く、六角レンチビットの使用寿命が短く、且つ製品コストが高いという技術的な問題がある。
【考案の概要】
【考案が解決しようとする課題】
【０００５】
本考案は、従来の六角レンチビットに存在する六角連結シャンクとビットとの連結安定性が悪く、六角レンチビットの使用寿命が短く、製品コストが高いという技術的な問題を克服するための、六角レンチビットを提出することを目的とする。
【課題を解決するための手段】
【０００６】
上記の目的を達成するために、本考案は以下のような技術案を採用する。
六角連結シャンクとビットとを含む六角レンチビットは、六角連結シャンクに取付孔が開設され、取付孔の側壁に突起部が設置され、ビットは、相互に連結されるビット部と連結部とを含み、連結部に回り止め部が設置され、連結部が取付孔内に挿入され、回り止め部が突起部に貼り合わさる。
【０００７】
一実施例において、回り止め部が回り止め平面であり、突起部が回り止め平面に当接されている。
【０００８】
一実施例において、突起部が突条である。
【０００９】
一実施例において、突起部がバンプである。
【００１０】
一実施例において、回り止め部が凹溝であり、突起部が突条であり、突条が凹溝に挿着されている。
【００１１】
一実施例において、回り止め部と突起部の数は、１つずつである。
【００１２】
一実施例において、回り止め部と突起部の数は、２つずつであり、２つの回り止め部が対称に設置され、２つの突起部が対称に設置されている。
【００１３】
一実施例において、連結部とビット部との連結箇所に抜け止めスロットが開設されている。
【００１４】
一実施例において、連結部は、六角連結シャンクに連結される一端の端部に面取りが設置されている。
【００１５】
一実施例において、上記六角レンチビットは、接着部材を更に含み、接着部材は、六角連結シャンクと連結部との間に設置されている。
【考案の効果】
【００１６】
上記六角レンチビットは、ビットの連結部に回り止め部が設置され、且つ六角連結シャンクの取付孔の側壁に突起部が設置され、連結部が取付孔内に挿入され、回り止め部が突起部に貼り合わさる。上記六角レンチビットのビットが六角連結シャンクに挿入された後、回り止め部と突起部により貼り合わさり締め付けられ、ビット回転過程に突起部と回り止め部とが相互に締め付けられ、回転過程にトルクが均一に分布され、滑りやビット脱落の現象が発生することなく、ビットと六角連結シャンクとの連結が安定し確実であることを確保し、六角レンチビットの使用寿命を効果的に延長できる。また、六角連結シャンクとビットとは、突起部と回り止め部により相互に締め付けて固定され、別途リベットを用いて補強する必要がないため、六角レンチビットの組立操作が簡単で便利であり、組立過程で部品が損傷することがなく、リベットのコストを節約し、製品コストを効果的に節約できる。したがって、従来の六角レンチビットと比べて、上記六角レンチビットは、六角連結シャンクとビットとの連結安定性が高く、六角レンチビットの使用寿命が長く、且つ製品コストが低いという有益な効果を有する。
【図面の簡単な説明】
【００１７】
【図１】一実施例における六角レンチビットの構造模式図である。
【図２】一実施例におけるビットの構造模式図である。
【図３】図２のＡ−Ａ線に沿った構造断面図である。
【図４】一実施例における六角連結シャンクの構造断面図である。
【図５】他実施例におけるビットの構造模式図である。
【図６】図５のＢ−Ｂ線に沿った構造断面図である。
【図７】他実施例における六角連結シャンクの構造断面図である。
【考案を実施するための形態】
【００１８】
以下、図面を参照しながら、具体的な実施形態を用いて本考案の技術案を更に説明する。
【００１９】
本考案の説明において、「上」、「下」、「前」、「後」、「左」、「右」、「垂直」、「水平」、「頂」、「底」、「内」、「外」等の用語により指示した方位や位置関係は、図面に示す方位や位置関係に基づくものであり、本考案の説明を容易にし説明を簡略化するためのものにすぎず、言及した装置又は素子は、特定の方位を有し、特定の方位から構成して操作しなければならないことを指示又は暗に指示するものではないと理解すべきである。したがって、本考案を限定するものではないと理解すべきである。
【００２０】
図１〜図４を参照すると、六角連結シャンク１０とビット２０とを含む六角レンチビットは、六角連結シャンク１０に取付孔１０１が開設され、取付孔１０１の側壁に突起部１０２が設置され、ビット２０は、相互に連結されるビット部２０１と連結部２０２とを含み、連結部２０２に回り止め部２０３が設置され、連結部２０２が取付孔１０１内に挿入され、回り止め部２０３が突起部１０２に貼り合わさる。
【００２１】
上記六角レンチビットは、ビット２０の連結部２０２に回り止め部２０３が設置され、且つ六角連結シャンク１０の取付孔１０１の側壁に突起部１０２が設置され、連結部２０２が取付孔１０１内に挿入され、回り止め部２０３が突起部１０２に貼り合わせ、ビット２０が六角連結シャンク１０に挿入された後、回り止め部２０３と突起部１０２により貼り合わせて締め付けられ、ビット２０の回転過程に突起部１０２と回り止め部２０３とが相互に締め付けられ、回転過程にトルクが均一に分布され、滑りやビット２０の脱落の現象が発生しなく、ビット２０と六角連結シャンク１０との連結が安定し確実で、六角レンチビットの使用寿命を効果的に延長できる。また、六角連結シャンク１０とビット２０とは、突起部１０２と回り止め部２０３により相互に締め付けて固定され、別途にリベットを用いて補強する必要がないため、六角レンチビットは、組立操作が簡単で便利であり、組立過程で部品が損傷することがなく、リベットのコストを節約し、製品コストを効果的に節約できる。
【００２２】
図２、図３に示すように、一実施例において、回り止め部２０３が回り止め平面であり、突起部１０２が回り止め平面に当接されている。具体的に、回り止め平面の表面がビット部２０１の表面よりも低く、回り止め平面は、連結部２０２のビット部２０１に連結される一端から連結部２０２の末端まで延在し、加工過程で連結部２０１に対してラビング処理を行うことで、回り止め平面を得て、加工操作が簡単で便利である。一実施例において、突起部１０２が突条であり、突条が連結部２０２の挿入方向に沿って取付孔１０１の内壁に設置され、且つ突条の幅が回り止め平面の幅よりも小さく、突条の厚みが回り止め平面の表面とビット部２０１の表面との高度差に等しい。連結部２０２が取付孔２０１に挿入された後、突条は、回り止め平面に当接されることで、六角連結シャンク１０とビット２０との間に相対回転が発生することがなく、六角連結シャンク１０とビット２０との連結が安定し確実であることを確保する。本実施例において、突起部１０２が突条であるが、他実施例において、突起部１０２がバンプであっても良く、本実施例は特に限定されない。
【００２３】
上記実施例において、回り止め部２０３が回り止め平面であるが、他実施例において、回り止め部２０３が凹溝であっても良く、相応的に、突起部１０２が突条であり、突条が凹溝に挿着される。突条が凹溝内に挿入されることで、六角連結シャンク１０とビット２０との連結安定性を更に向上させることができる。
【００２４】
図２、図３に示すように、本実施例において、回り止め部２０３と突起部１０２の数は、２つずつであり、２つの回り止め部２０３が対称に設置され、２つの突起部１０２が対称に設置されている。具体的に、２つの回り止め部２０３が対称に設置され、２つの突起部１０２が対称に設置されることで、製品の同心度を確保し、ラジアルランアウトを減少し、ビット２０の回転過程にトルクが均一に分布されることを確保することができる。更に、図５、図６、図７に示すように、他実施例において、回り止め部２０３と突起部１０２の数は、１つずつであっでもよく、以上の実施例は特に限定されるものではない。
【００２５】
図２に示すように、一実施例において、連結部２０２とビット部２０１との連結箇所に抜け止めスロット２０４が開設され、ビット２０が六角連結シャンク１０に連結された後、六角連結シャンク１０の端部を締め付けて六角連結シャンク１０の端部を抜け止めスロット内に係入させることで、六角連結シャンク１０とビット２０との連結安定性を更に強化し、ビット２０と六角結レンチ１０との連結脱落が発生しないことを確保することができる。
【００２６】
図２に示すように、一実施例において、連結部２０２は、六角連結シャンク１０に連結される一端の端部に面取り２０５が設置され、面取り２０５は、連結部２０２の端部に案内面が形成されることで、連結部２０２を取付孔１０１と迅速に整合させることができ、六角レンチビットの組立効率を向上させることに寄与する。
【００２７】
一実施例において、上記六角レンチビットは、接着部材を更に含み、接着部材は、六角連結シャンク１０と連結部２０２との間に設置されている。具体的に、接着部材は、グルーであっても良く、六角連結シャンク１０と連結部２０２との間にグルーを塗布することで、六角連結シャンク１０と連結部２０２との連結安定性を更に向上させることができ、六角レンチビットの使用寿命を更に延長することに寄与する。
【００２８】
上記実施形態の各技術的特徴は、任意に組み合わせることができる。説明を簡単にするために、上記各実施形態における各技術的特徴の全ての組合可能な形態については記載されていないが、これら技術的特徴の組み合わせに矛盾がない限り、本明細書に記載の範囲とみなされるべきである。
【００２９】
上述の実施例は、本考案のいくつかの実施形態の例示にすぎず、その説明は、具体的且つ詳細であるが、本考案の範囲を限定するものではないと理解すべきである。当業者であれば、本考案の思想から逸脱しない前提で、いくつかの変形及び改善を行うことができ、これらはすべて本考案の保護範囲に属することは明らかである。したがって、本考案の保護範囲は、請求の範囲により決定されるべきである。
【符号の説明】
【００３０】
１０−六角連結シャンク、２０−ビット、
１０１−取付孔、１０２−突起部、２０１−ビット部、２０２−連結部、２０３−回り止め部、２０４−抜け止めスロット、２０５−面取り。
【図１】
0003219196.tif 000003
【図２】
0003219196.tif 000004
【図３】
0003219196.tif 000005
【図４】
0003219196.tif 000006
【図５】
0003219196.tif 000007
【図６】
0003219196.tif 000008
【図７】
0003219196.tif 000009